(57)【要約】【課題】  二次電池の劣化状態を迅速且つ正確に推定する二次電池の劣化状態推定装置並びにそれを備えた電池システム及び電動車両を提供する。【解決手段】  二次電池の劣化状態を推定する二次電池の劣化状態推定装置であって、定電流定電圧充電又は定電力定電圧充電における定電圧充電に移行した際の第１電流値と、前記定電圧充電に移行した後所定時間経過後の第２電流値とを取得し、前記第１電流値から前記第２電流値への変化の傾きである（第２電流値−第１電流値）／所定時間を求め、この傾きの値より前記二次電池の劣化状態を推定する。【選択図】図２
2018155706.tif 000002
【特許請求の範囲】
【請求項１】
二次電池の劣化状態を推定する二次電池の劣化状態推定装置であって、
定電流定電圧充電又は定電力定電圧充電における定電圧充電に移行した際の第１電流値と、前記定電圧充電に移行した後所定時間経過後の第２電流値とを取得し、前記第１電流値から前記第２電流値への変化の傾きである（第２電流値−第１電流値）／所定時間を求め、この傾きの値より前記二次電池の劣化状態を推定することを特徴とする二次電池の劣化状態推定装置。
【請求項２】
前記定電流定電圧充電における定電流の大きさ及び前記定電力定電圧充電における定電力の大きさ毎に、前記傾きと劣化状態の変化との関係を予め求めたマップを具備し、前記マップを使用して劣化状態を推定することを特徴とする請求項１記載の二次電池の劣化状態推定装置。
【請求項３】
前記マップを温度別に具備するか、又は前記マップの温度依存性を補正する温度補正係数を具備することを特徴とする請求項１又は２記載の二次電池の劣化状態推定装置。
【請求項４】
請求項１〜３の何れか一項に記載の二次電池の劣化状態推定装置を具備することを特徴とする電池システム。
【請求項５】
請求項４に記載の電池システムを具備することを特徴とする電動車両。
【発明の詳細な説明】
【技術分野】
【０００１】
本発明は二次電池の劣化状態推定装置並びにそれを備えた電池システム及び電動車両に関する。
【背景技術】
【０００２】
近年、電気自動車やプラグインハイブリッド自動車等の電動車両が多数実用化されている。電動車両に搭載されている駆動用のバッテリは、充電可能なリチウムイオン二次電池が用いられている。また、リチウムイオン二次電池は家庭用電源、各種ＡＶ機器、パソコン、携帯端末などの種々の分野で使用されている。
【０００３】
このようなリチウムイオン二次電池は、使用を継続することにより劣化するが、使用環境に応じて劣化状態が異なる。よって、劣化状態を正確に把握することは、電力管理を正確に且つ適正に行うことにより、動作時間を最大限に延ばしたり、さらなる劣化を抑えたりするに当たって重要である。特に、電気自動車では、走行可能距離の算出や、車両の要求に応じた電力の入出力制御を行うため、二次電池の残存容量を算出しているが、二次電池の劣化状態を正確に把握することは重要である。
【０００４】
ここで、このような劣化状態の測定方法としては、満充電から０％までの放電時間（逆の充電）で容量劣化を測定する方法が知られている。また、一定時間の充放電をする際の電圧変化などから抵抗劣化を測定する方法、例えば、規定時間経過後の電流値、又は定電圧充電時間や容量に基づいて、二次電池の劣化状態（State Of Health、以下、単に「ＳＯＨ」という）を推定するものが知られている（例えば、特許文献１参照）。
【先行技術文献】
【特許文献】
【０００５】
【特許文献１】国際公開第２０１５／０１１７７３号
【発明の概要】
【発明が解決しようとする課題】
【０００６】
しかしながら、完全放電状態とした後、一定電流で充電と放電をする必要があり、長時間を要するという問題があり、また、電池セルの電流電圧特性などから容量を推定する技術では、広範囲での充電や放電をする必要があり、推定に時間を要し、また、推定精度が低いという問題があった。
【０００７】
そこで、本発明は、上記従来技術の問題点を解決することにあり、二次電池の劣化状態を迅速且つ正確に推定する二次電池の劣化状態推定装置並びにそれを備えた電池システム及び電動車両を提供することを課題とする。
【課題を解決するための手段】
【０００８】
前記課題を解決する本発明は、二次電池の劣化状態を推定する二次電池の劣化状態推定装置であって、定電流定電圧充電又は定電力定電圧充電における定電圧充電に移行した際の第１電流値と、前記定電圧充電に移行した後所定時間経過後の第２電流値とを取得し、前記第１電流値から前記第２電流値への変化の傾きである（第２電流値−第１電流値）／所定時間を求め、この傾きの値より前記二次電池の劣化状態を推定することを特徴とする二次電池の劣化状態推定装置にある。
【０００９】
かかる本発明では、定電流定電圧充電又は定電力定電圧充電における定電圧充電に移行した際の第１電流値から、前記定電圧充電に移行した後所定時間経過後の第２電流値への変化の傾きである（第２電流値−第１電流値）／所定時間を求め、この傾きの値より二次電池の劣化状態を推定するので、二次電池の劣化状態を迅速且つ正確に推定することができる。
【００１０】
ここで、前記定電流定電圧充電における定電流の大きさ及び前記定電力定電圧充電における定電力の大きさ毎に、前記傾きと劣化状態の変化との関係を予め求めたマップを具備し、前記マップを使用して劣化状態を推定することが好ましい。
これによれば、ＳＯＨの推定を簡便に行うことができる。
【００１１】
また、前記マップを温度別に具備するか、又は前記マップの温度依存性を補正する温度補正係数を具備することが好ましい。
これによれば、温度変化によるＳＯＨの推定の精度低下を防止することができる。
【００１２】
また、本発明の他の態様は、上記二次電池の劣化状態推定装置を具備することを特徴とする電池システムにある。
これによれば、二次電池の劣化状態を迅速且つ正確に推定することができる電池システムが提供される。
【００１３】
また、本発明の他の態様は、上記電池システムを具備することを特徴とする電動車両にある。
これによれば、二次電池の劣化状態を迅速且つ正確に推定することができる電池システムを搭載した電動車両が実現できる。
【発明の効果】
【００１４】
本発明の二次電池の劣化状態推定装置によれば、定電流定電圧充電又は定電力定電圧充電における定電圧充電に移行した際の第１電流値から、前記定電圧充電に移行した後所定時間経過後の第２電流値への変化の傾きである（第２電流値−第１電流値）／所定時間を求め、この傾きの値より二次電池の劣化状態を推定するので、二次電池の劣化状態を迅速且つ正確に推定することができるという優れた効果を奏する。
【図面の簡単な説明】
【００１５】
【図１】本実施形態にかかる制御装置を有するＰＨＥＶの構成を示す模式図である。
【図２】本実施形態にかかる二次電池の劣化状態推定装置を含む制御部の構成を示すブロック図である。
【図３】定電流定電圧での急速充電時の電流及び電圧と時間との関係の一例を示すグラフである。
【図４】定電流定電圧による普通充電の電流及び電圧と時間との関係の一例を示すグラフである。
【図５】本実施形態にかかるマップを説明するためのグラフである。
【図６】本実施形態にかかるマップを説明するためのグラフである。
【図７】本実施形態にかかる二次電池の劣化状態推定装置による劣化状態の推定のフローの一例を示す図である。
【発明を実施するための形態】
【００１６】
以下、本発明の一実施形態について図面を参照して詳細に説明する。なお以下の実施形態は、二次電池及びその管理装置を車両に搭載した例について説明する。
まず、二次電池が搭載された車両の一例について説明する。図１に示すように、本実施形態に係る車両１は、電動車両の一種であるプラグインハイブリッド電気自動車（ＰＨＥＶ）であり、エンジン２の他、二次電池である駆動用バッテリ３を備えている。駆動用バッテリ３は、複数のバッテリーセルが直列又は並列に接続されてなるバッテリユニットであり、各バッテリーセルは、例えば、リチウムイオン二次電池からなる。
【００１７】
この駆動用バッテリ３は、後述する制御部１００を含むコントロールユニット４を介して走行用モータ５及びジェネレータ６に電気的に接続されている。走行用モータ５及びジェネレータ６は、図示は省略するが駆動伝達機構を介して駆動輪７に連結されている。
【００１８】
そして、ＰＨＥＶ１は、例えば、駆動用バッテリ３からの電力供給により動作する走行用モータ５の駆動力によって走行するＥＶ走行モード、駆動用バッテリ３とエンジン２によって駆動されるジェネレータ６で発電される電力によって動作する走行用モータ５の駆動力によって走行するシリーズ走行モード、エンジン２の駆動力で走行するパラレル走行モードなどの走行モードを有している。
【００１９】
本実施形態におけるＰＨＥＶ１では、駆動用バッテリ３に蓄えられた電力は、コントロールユニット４のインバータ８で直流から交流に変換されて走行用モータ５に流入し、これにより走行用モータ５が駆動される（放電）。また、ＰＨＥＶ１の減速時の回生発電電力は、コントロールユニット４のインバータ８で交流から直流に変換されて駆動用バッテリ３に流入し、駆動用バッテリ３に充電される。さらに、コントロールユニット４には、車載充電器（ＯＢＣ）９が搭載され、車載充電器９は、図示しない外部充電装置からの電力により駆動用バッテリ３に充電を行う。
【００２０】
さらに、本実施形態にかかるＰＨＥＶ１のコントロールユニット４には、制御部１００が設けられている。なお、主として、駆動用バッテリ３、車載充電器９及び制御部１００により、電池システムを構成している。なお、本実施形態では、ＰＨＥＶ１を例示したが、電気自動車（ＥＶ）であってもよいことはいうまでもない。
【００２１】
ここで、本発明の劣化状態推定装置を含む電池システムの一例を図２に示す。なお、以下、電動車両に搭載した場合を例として説明するが、電動車両以外の用途であっても同様である。
電池システム１０は、駆動用バッテリ３を一例とする組電池１１と、車載充電器９を一例とする充放電制御部１２と、制御部１００とを具備する。
制御部１００は、組電池１１の充電率等の充電状態を検出する充電状態検出部１１０と、劣化状態推定装置を構成する劣化状態検出部１２０と、充放電制御部１２を介しての組電池１１の充電制御などを行う電池管理ユニット（ＢＭＵ）１３０とを具備する。
【００２２】
充電状態検出部１１０は、本実施形態では、組電池１１の充放電制御部１２による充電中の電流及び電圧を検出する電流電圧検出部１１１と、組電池１１の温度を検出する電池温度検出部１１２と、組電池１１の充電率（ＳＯＣ：State of charge）を検出するＳＯＣ検出部１１３と、を備えている。なお、ＳＯＣ検出部１１３は、組電池１１の電圧を検出する電圧検出手段に単純に置き換えてもよい。
【００２３】
劣化状態検出部１２０は、本実施形態の劣化状態推定装置であり、詳細は後述するが、組電池１１の劣化状態（ＳＯＨ：State of health）を推定する。劣化状態検出部１２０は、定電圧充電に移行した時点の第１電流値とそれから所定時間経過後の第２電流値とを取得して傾き＝（第２電流値−第１電流値）を求める傾き算出部１２１と、傾きの値から劣化状態を推定するためのマップ１２２を具備する。
【００２４】
電池管理ユニット１３０は、充電状態検出部１１０により検出された組電池１１の温度やＳＯＣなどや、劣化状態検出部１２０により検出されたＳＯＨなどに基づいて、充放電する際の電流値、電圧を制御する。
【００２５】
ここで、劣化状態検出部１２０について詳細に説明する。
充放電制御部１２により組電池１１への充電は、規定電力（または規定電流）で規定電圧まで充電する定電力（ＣＰ）（または定電流（ＣＣ））充電後、規定電圧を維持するように電力（または電流）を低下させていく定電圧（ＣＶ））充電が行われる。これを定電力（または定電流）定電圧充電、あるいはＣＰ（またはＣＣ）ＣＶ充電という。なお、定電流（または定電力）充電から定電圧充電への移行は、組電池１１の仕様上の上限電圧に到達した時点で行われる。
【００２６】
また、充電の際の規定電力又は規定電流の大きさで充電が完了するまでの時間が異なることになる。電動車両の場合には、充電スタンドなどで行われる急速充電と、家庭での１００Ｖ電源又は２００Ｖ電源で行われる普通充電とがある。本件では、以下、相対的に高い高電力又は高電流で充電する高充電と、相対的に低い定電力又は定電流で充電する低充電とを例示して説明する。なお、電力又は電流レベルは２段階に限定されず、３段階以上の複数の充電レベルを有している場合もある。
【００２７】
図３には、定電流定電圧での高充電時の電流及び電圧と時間との関係の一例を示す。このような定電流定電圧充電、特に、劣化時、低温時、又は大電流通電時などにおいては定電圧充電に費やす時間が充電時間の大きな割合を占める。
【００２８】
本実施形態の劣化状態検出部１２０の傾き算出部１２１は、定電圧充電に移行した時点の第１電流値とそれから所定時間経過後、例えば、１０秒後、あるいは６０秒後の第２電流値とを充電状態検出部１１０の電流及び電圧を検出する電流電圧検出部１１１から取得し、第１電流値から第２電流値までの傾き、すなわち、傾き＝（第２電流値−第１電流値）／時間を求める。
また、劣化状態検出部１２０は、傾き算出部１２１が算出した傾きの値からＳＯＨを推定する。
【００２９】
具体的には、予め、傾きとＳＯＨとの関係を示すマップ１２２を用意しておく。そして劣化状態検出部１２０は、上述したように傾き算出部１２１が求めた傾きの値とマップ１２２との比較から、ＳＯＨを推定する。
【００３０】
なお、マップ１２２としては、定電流定電圧による高充電、定電力定電圧による高充電、定電流定電圧による低充電、定電力定電圧による低充電など複数種を用意する必要がある。勿論、充電レベルが３段階以上あれば、各充電レベルに応じてマップ１２２を用意する。
【００３１】
図４には、定電流定電圧による低充電の電流及び電圧と時間との関係の一例を示す。
本発明は、定電圧充電に移行した直後の電流の傾きと、ＳＯＨとに緊密な関係があるという新たな知見に基づいて完成されたものである。このような定電圧充電に移行した直後の電流の変化は、特に、電池の劣化状態と緊密な関係があると推定される。
【００３２】
また、定電流（または定電力）から定電圧充電に移行した時点は明確に把握でき、また、移行した直後の電流の傾きが大きいので、ＳＯＨとの関係が把握しやすいという利点がある。
【００３３】
なお、所定時間は特に限定されず、定電圧充電が終了するまでの時間で選定されればよいが、所定時間を大きくすると短時間で推定するという目的が達成されないので、２，３分以下、好ましくは、６０秒以下、さらに好ましくは、３０秒以下、さらに好ましくは、１０秒程度を所定時間として予め設定しておけばよい。
【００３４】
図５及び図６は、３個（ｎ＝３）のセルについて、ＳＯＨと、定電流定電圧での急速充電時の傾きとの関係の常温（２５℃）で測定した結果の一例を示すグラフである。図５は、所定時間を１０秒間としたもの、図６は、所定時間を６０秒としたものであり、セル毎に異なるマーク▲、■、◆でプロットした。
これらの図から明らかなように、各セルのＳＯＨと傾きとの間には、緊密な関係があることがわかる。
【００３５】
なお、各セルのＳＯＨと傾きとの関係には温度依存性があることもわかっている。よって、温度毎にマップ１２２を用意してもよいし、組電池１１の温度に応じて補正する補正用マップまたは補正係数を別途用意してもよい。
【００３６】
図７には、具体的な実施形態のフローの一例を示し、劣化状態の推定を行う手順を説明する。
図７に示すように、まず、低充電又は高充電における定電流（定電力）定電圧充電が開始すると（ステップＳ１）、時間、温度、電流、電圧の取得を開始する。これは上述したように、傾き算出部１２１が電流電圧検出部１１１及び電池温度検出部１１２から取得してもよいし、傾き算出部１２１が直接検出するようにしてもよい（ステップＳ２）。
【００３７】
ここで、電池の仕様上の上限電圧に達すると（ステップＳ３）、定電流（定電圧）充電を終了し、定電圧充電を開始する。傾き算出部１２１は、この時点の電流値を第１電流値として取得する（ステップＳ４）。
【００３８】
そして、定電圧充電開始から所定時間経過したら、この時点の電流値を第２電流値として取得し（ステップＳ５）、傾き算出部１２１は傾きを算出し、劣化状態検出部１２０は、劣化状態（ＳＯＨ）推定を開始する（ステップＳ６）。
【００３９】
具体的には、傾き算出部１２１は、所定時間、第１電流値、第２電流値から、所定時間に対する電流値の減少量である傾き（（第２電流値−第１電流値）／所定時間）を算出する（ステップＳ７）。また、劣化状態検出部１２０は、この傾きと温度の情報に基づいて、今回の充電に適合するマップ１２２から劣化状態を推定する（ステップＳ８）。
【００４０】
そして、このように求められた劣化状態（ＳＯＨ）は、電池管理ユニット（ＢＭＵ）１３０などに保存されているＳＯＨを更新するために用いられる（ステップＳ９）。
なお、その後、組電池１１の充電は、充電終了条件に到達すると（ステップＳ１０）、定電圧充電を終了する（ステップＳ１１）。
【００４１】
このように劣化状態検出部１２０により求められた劣化状態（ＳＯＨ）は、電力管理を正確に且つ適正に行うことにより、動作時間を最大限に延ばしたり、さらなる劣化を抑えたりするに当たって重要である。また、特に、電気自動車では、走行可能距離の算出や、車両の要求に応じた電力の入出力制御を行うため、二次電池の残存容量を算出しているが、この際に劣化状態が参照される。
【符号の説明】
【００４２】
１       ＰＨＥＶ（車両）
２       エンジン
３       駆動用バッテリ
４       コントロールユニット
５       走行用モータ
６       ジェネレータ
８       インバータ
９       車載充電器
１０     電池システム
１００   制御部
１１０   充電状態検出部
１２０   劣化状態検出部
１２１   傾き算出部
１２２   マップ
１３０   電池管理ユニット（ＢＭＵ）
【図１】
2018155706.tif 000003
【図２】
2018155706.tif 000004
【図３】
2018155706.tif 000005
【図４】
2018155706.tif 000006
【図５】
2018155706.tif 000007
【図６】
2018155706.tif 000008
【図７】
2018155706.tif 000009